(57)【要約】  基地局装置（１００）は、第１のバーストに含まれる１以上の時間単位それぞれにおいて送信されるデータチャネルを生成するデータチャネル生成部（１２２）と、前記第１のバーストに含まれるデータチャネルの割当情報を含む制御チャネルであって、前記データチャネルに関する復号結果を前記第１のバーストより後に送信される第２のバーストに関する復号結果とまとめてフィードバックするように指示する制御情報を含む制御チャネルを生成する制御チャネル生成部（１２１）と、無線通信に使用するために免許が不要な周波数帯域が使用中であるか否かを判定するＬＢＴ処理部（１４０）と、前記ＬＢＴ処理部によって前記周波数帯域が使用中ではないと判定された場合に、前記データチャネル及び前記制御チャネルを有する前記第１のバーストを前記周波数帯域を使用して送信する無線通信部（１３０）とを有する。
2020065845.tif 000002
【特許請求の範囲】
【請求項１】
第１のバーストに含まれる１以上の時間単位それぞれにおいて送信されるデータチャネルを生成する第１の生成部と、
前記第１のバーストに含まれるデータチャネルの割当情報を含む制御チャネルであって、前記データチャネルに関する復号結果を前記第１のバーストより後に送信される第２のバーストに関する復号結果とまとめてフィードバックするように指示する制御情報を含む制御チャネルを生成する第２の生成部と、
無線通信に使用するために免許が不要な周波数帯域が他装置によって使用中であるか否かを判定する判定部と、
前記判定部によって前記周波数帯域が使用中ではないと判定された場合に、前記データチャネル及び前記制御チャネルを有する前記第１のバーストを前記周波数帯域を使用して送信する送信部と
を有することを特徴とする基地局装置。
【請求項２】
前記第２の生成部は、
前記第１のバーストに含まれる１以上の時間単位のうち先頭の時間単位から前記所定の時間単位までにおいて送信される制御チャネルであって、それぞれの時間単位に関する復号結果をフィードバックするタイミングを特定する制御情報を含む制御チャネルを生成する
ことを特徴とする請求項１記載の基地局装置。
【請求項３】
無線通信に使用するために免許が不要な周波数帯域を使用して送信された第１のバーストと前記第１のバーストよりも後に送信された第２のバーストとを受信する受信部と、
前記第１のバーストに含まれる１以上の時間単位それぞれにおけるデータチャネルを復号する第１の復号部と、
前記第１のバーストに含まれるデータチャネルに関する１以上の復号結果を前記第２のバーストに関する復号結果とまとめてフィードバックするように指示する制御情報を含む制御チャネルを復号する第２の復号部と、
前記第２の復号部によって復号される制御情報に従って、前記第１の復号部の復号結果と前記第２のバーストに関する復号結果とを含むフィードバック情報を生成する生成部と、
前記生成部によって生成されたフィードバック情報を送信する送信部と
を有することを特徴とする端末装置。
【請求項４】
前記周波数帯域が他装置によって使用中であるか否かを判定する判定部をさらに有し、
前記送信部は、
前記判定部によって前記周波数帯域が使用中ではないと判定された場合に、前記フィードバック情報を前記周波数帯域を使用して送信する
ことを特徴とする請求項３記載の端末装置。
【請求項５】
基地局装置と端末装置とを有する無線通信システムであって、
前記基地局装置は、
第１のバーストに含まれる１以上の時間単位それぞれにおいて送信されるデータチャネルを生成する第１の生成部と、
前記第１のバーストに含まれるデータチャネルの割当情報を含む制御チャネルであって、前記データチャネルに関する復号結果を前記第１のバーストより後に送信される第２のバーストに関する復号結果とまとめてフィードバックするように指示する制御情報を含む制御チャネルを生成する第２の生成部と、
無線通信に使用するために免許が不要な周波数帯域が他装置によって使用中であるか否かを判定する判定部と、
前記判定部によって前記周波数帯域が使用中ではないと判定された場合に、前記データチャネル及び前記制御チャネルを有する前記第１のバーストを前記周波数帯域を使用して送信する送信部とを有し、
前記端末装置は、
前記第１のバースト及び前記第２のバーストを受信する受信部と、
前記第１のバーストに含まれる１以上の時間単位それぞれにおけるデータチャネルを復号する第１の復号部と、
前記第１のバーストに含まれるデータチャネルに対応する制御チャネルを復号する第２の復号部と、
前記第２の復号部によって復号される制御情報に従って、前記第１の復号部の復号結果と前記第２のバーストに関する復号結果とを含むフィードバック情報を生成する生成部と、
前記生成部によって生成されたフィードバック情報を送信するフィードバック情報送信部とを有する
ことを特徴とする無線通信システム。
【発明の詳細な説明】
【技術分野】
【０００１】
本発明は、基地局装置、端末装置及び無線通信システムに関する。
【背景技術】
【０００２】
現在のネットワークは、モバイル端末（スマートフォンやフィーチャーホン）のトラフィックがネットワークのリソースの大半を占めている。また、モバイル端末が使うトラフィックは、今後も拡大していく傾向にある。【０００３】
一方で、ＩｏＴ（Internet  of  a  things）サービス（例えば、交通システム、スマートメータ、装置等の監視システム）の展開に合わせて、多様な要求条件を持つサービスに対応することが求められている。そのため、第５世代移動体通信（５Ｇ又はＮＲ（Ｎｅｗ  Ｒａｄｉｏ））の通信規格では、４Ｇ（第４世代移動体通信）の標準技術（例えば、非特許文献１〜１１）に加えて、さらなる高データレート化、大容量化、低遅延化を実現する技術が求められている。なお、第５世代通信規格については、３ＧＰＰの作業部会（例えば、ＴＳＧ−ＲＡＮ  ＷＧ１、ＴＳＧ−ＲＡＮ  ＷＧ２等）で技術検討が進められている。（非特許文献１２〜３８）。【０００４】
また、無線通信システム（例えば、ＬＴＥ（Long  Term  Evolution）又は５Ｇ）では、効率的なデータ伝送を実現するためにハイブリッド自動再送要求（ＨＡＲＱ：Hybrid  Automatic  Repeat  reQuest）の技術が採用されている。ＨＡＲＱでは、受信装置は、例えばＬＴＥ等のレイヤ１プロトコル階層の処理において正しく復号できなかったデータについての再送を、送信装置に要求する。送信装置は、データの再送が要求されると、再送要求に対応する再送データを送信する。受信装置では、正しく復号できなかった元のデータと再送データとを組み合わせて、データの復号が行われる。これにより、高効率かつ高精度な再送制御が実現される。【０００５】
ＨＡＲＱのフィードバックの送信タイミングは、例えば、制御情報によって指定される。すなわち、例えばダウンリンクの制御チャネルであるＰＤＣＣＨ（Physical  Downlink  Control  CHannel）によって送信されるＤＣＩｆｏｒｍａｔ  １＿０の情報によって、ダウンリンクのデータに対するＡＣＫ又はＮＡＣＫをフィードバックするタイミングが指定される。フィードバックのタイミングは、例えばデータが送信されるスロットからＡＣＫ又はＮＡＣＫが送信されるスロットまでのスロット数によって指定される。
【先行技術文献】
【非特許文献】
【０００６】
【非特許文献１】3GPP  TS  36.211  V15.2.0（2018-06）
【非特許文献２】3GPP  TS  36.212  V15.2.1（2018-07）
【非特許文献３】3GPP  TS  36.213  V15.2.0（2018-06）
【非特許文献４】3GPP  TS  36.300  V15.2.0（2018-06）
【非特許文献５】3GPP  TS  36.321  V15.2.0（2018-07）
【非特許文献６】3GPP  TS  36.322  V15.1.0（2018-07）
【非特許文献７】3GPP  TS  36.323  V15.0.0（2018-07）
【非特許文献８】3GPP  TS  36.331  V15.2.2（2018-06）
【非特許文献９】3GPP  TS  36.413  V15.2.0（2018-06）
【非特許文献１０】3GPP  TS  36.423  V15.2.0（2018-06）
【非特許文献１１】3GPP  TS  36.425  V15.0.0（2018-06）
【非特許文献１２】3GPP  TS  37.340  V15.2.0（2018-06）
【非特許文献１３】3GPP  TS  38.201  V15.0.0（2017-12）
【非特許文献１４】3GPP  TS  38.202  V15.2.0（2018-06）
【非特許文献１５】3GPP  TS  38.211  V15.2.0（2018-06）
【非特許文献１６】3GPP  TS  38.212  V15.2.0（2018-06）
【非特許文献１７】3GPP  TS  38.213  V15.2.0（2018-06）
【非特許文献１８】3GPP  TS  38.214  V15.2.0（2018-06）
【非特許文献１９】3GPP  TS  38.215  V15.2.0（2018-06）
【非特許文献２０】3GPP  TS  38.300  V15.2.0（2018-06）
【非特許文献２１】3GPP  TS  38.321  V15.2.0（2018-06）
【非特許文献２２】3GPP  TS  38.322  V15.2.0（2018-06）
【非特許文献２３】3GPP  TS  38.323  V15.2.0（2018-06）
【非特許文献２４】3GPP  TS  38.331  V15.2.1（2018-06）
【非特許文献２５】3GPP  TS  38.401  V15.2.0（2018-06）
【非特許文献２６】3GPP  TS  38.410  V15.0.0（2018-06）
【非特許文献２７】3GPP  TS  38.413  V15.0.0（2018-06）
【非特許文献２８】3GPP  TS  38.420  V15.0.0（2018-06）
【非特許文献２９】3GPP  TS  38.423  V15.0.0（2018-06）
【非特許文献３０】3GPP  TS  38.470  V15.2.0（2018-06）
【非特許文献３１】3GPP  TS  38.473  V15.2.1（2018-07）
【非特許文献３２】3GPP  TR  38.801  V14.0.0（2017-03）
【非特許文献３３】3GPP  TR  38.802  V14.2.0（2017-09）
【非特許文献３４】3GPP  TR  38.803  V14.2.0（2017-09）
【非特許文献３５】3GPP  TR  38.804  V14.0.0（2017-03）
【非特許文献３６】3GPP  TR  38.900  V15.0.0（2018-06）
【非特許文献３７】3GPP  TR  38.912  V15.0.0（2018-06）
【非特許文献３８】3GPP  TR  38.913  V15.0.0（2018-06）
【発明の概要】
【発明が解決しようとする課題】
【０００７】
ところで、ＨＡＲＱは、無線通信に使用するために免許が必要なライセンスバンド（Licensed  band：以下「Ｌバンド」と略記する）を用いた通信のみではなく、無線通信に使用するために免許が不要なアンライセンスバンド（Unlicensed  band：以下「Ｕバンド」と略記する）を用いた通信においても適用可能である。一般に、Ｕバンドは、複数の無線通信システムによって共有されるため、Ｕバンドを用いた通信では無線通信システム間の干渉が発生し得る。そこで、Ｕバンドを用いた通信が行われる際には、信号送信前にＬＢＴ（Listen  Before  Talk）処理が実行され、他の装置による送信が実行されておらずＵバンドがアイドルである場合に信号が送信される。反対に、他の装置による送信が実行されておりＵバンドがビジーである場合には信号の送信が延期される。【０００８】
しかしながら、ＵバンドにおいてＨＡＲＱが適用されると、送信効率が低下するという問題がある。具体的には、例えば複数のスロットが連続するバーストをＵバンドを用いて送信する際、このバーストの各スロットのデータに対するＡＣＫ又はＮＡＣＫのフィードバックタイミングが制御情報によって指定される。このため、指定されたフィードバックタイミングでＡＣＫ又はＮＡＣＫが送信される。したがって、フィードバックタイミングでは、ＡＣＫ又はＮＡＣＫの送信にＵバンドが使用されるため、Ｕバンドを用いた他の送信は実行されない。【０００９】
一方、次のバーストの送信前には、ＬＢＴ処理が実行されＵバンドがアイドルになった場合にバースト送信が実行される。このため、例えばＵバンドがビジーの時間が継続すると、次のバースト送信の実行タイミングと上述したフィードバックタイミングとが重なることがある。この場合、フィードバックタイミング前までにバーストの一部が送信され、バーストの残りの一部は、フィードバックタイミング後に改めてＬＢＴ処理が実行されてから送信される。【００１０】
結果として、データの送信が断続的となり、ＬＢＴ処理の回数が増加してデータの送信効率が低下する。換言すれば、ＡＣＫ又はＮＡＣＫのフィードバックにより、バーストの連続送信が制限され、スループットが低下する。【００１１】
開示の技術は、かかる点に鑑みてなされたものであって、送信効率の低下を抑制することができる基地局装置、端末装置及び無線通信システムを提供することを目的とする。
【課題を解決するための手段】
【００１２】
本願が開示する基地局装置は、１つの態様において、第１のバーストに含まれる１以上の時間単位それぞれにおいて送信されるデータチャネルを生成する第１の生成部と、前記第１のバーストに含まれるデータチャネルの割当情報を含む制御チャネルであって、前記データチャネルに関する復号結果を前記第１のバーストより後に送信される第２のバーストに関する復号結果とまとめてフィードバックするように指示する制御情報を含む制御チャネルを生成する第２の生成部と、無線通信に使用するために免許が不要な周波数帯域が他装置によって使用中であるか否かを判定する判定部と、前記判定部によって前記周波数帯域が使用中ではないと判定された場合に、前記データチャネル及び前記制御チャネルを有する前記第１のバーストを前記周波数帯域を使用して送信する送信部とを有する。
【発明の効果】
【００１３】
本願が開示する基地局装置、端末装置及び無線通信システムの１つの態様によれば、送信効率の低下を抑制することができるという効果を奏する。
【図面の簡単な説明】
【００１４】
【図１】図１は、一実施の形態に係る基地局装置の構成を示すブロック図である。
【図２】図２は、一実施の形態に係る端末装置の構成を示すブロック図である。
【図３】図３は、一実施の形態に係る基地局装置の動作を示すフロー図である。
【図４】図４は、一実施の形態に係る端末装置の動作を示すフロー図である。
【図５】図５は、Ｕバンドを用いた送信状況の具体例を示す図である。
【図６】図６は、スロットごとの制御情報の具体例を示す図である。
【図７】図７は、ＦＢタイミング情報とスロット数の対応関係を示す図である。
【図８】図８は、スロットごとの制御情報の他の具体例を示す図である。
【図９】図９は、ＦＢタイミング情報とスロット数の他の対応関係を示す図である。
【図１０】図１０は、Ｕバンドを用いた送信状況の他の具体例を示す図である。
【図１１】図１１は、Ｕバンドを用いた送信状況のさらに他の具体例を示す図である。
【発明を実施するための形態】
【００１５】
以下、本願が開示する基地局装置、端末装置及び無線通信システムの一実施の形態について、図面を参照して詳細に説明する。なお、この実施の形態により本発明が限定されるものではない。
【００１６】
図１は、一実施の形態に係る基地局装置１００の構成を示すブロック図である。この基地局装置１００は、Ｕバンドを用いた送信を実行する。図１に示す基地局装置１００は、ネットワークインタフェース部（以下「ネットワークＩ／Ｆ部」と略記する）１１０、プロセッサ１２０、無線通信部１３０、ＬＢＴ処理部１４０及びメモリ１５０を有する。図１においては、Ｕバンドを用いた送信に関係する処理部のみを図示しているが、基地局装置１００は、ＵバンドのみではなくＬバンドを用いた送信を実行しても良い。
【００１７】
ネットワークＩ／Ｆ部１１０は、例えばコアネットワークを構成する通信装置や他の基地局装置に接続するインタフェースである。ネットワークＩ／Ｆ部１１０は、制御チャネルの信号を生成するために必要な情報や、データチャネルの信号を生成するために必要な情報をコアネットワークを構成する通信装置から受信する。
【００１８】
プロセッサ１２０は、例えばＣＰＵ（Central  Processing  Unit）、ＦＰＧＡ（Field  Programmable  Gate  Array）又はＤＳＰ（Digital  Signal  Processor）などを備え、基地局装置１００の全体を統括制御する。具体的には、プロセッサ１２０は、制御チャネル生成部１２１、データチャネル生成部１２２、マッピング部１２３及び制御部１２４を有する。
【００１９】
制御チャネル生成部１２１は、Ｕバンドを用いたバースト送信をする際に、バーストに含まれる複数のスロットそれぞれの制御チャネルを生成する。具体的には、制御チャネル生成部１２１は、各スロットのデータチャネルに対する周波数方向及び時間方向のいずれか一方又は両方を含む無線リソース、変調方式及び符号化率などの割当情報や、各スロットのデータチャネルに対するＡＣＫ又はＮＡＣＫのフィードバックタイミングを指定する情報（以下「ＦＢタイミング情報」という）を含む制御チャネルをスロットごとに生成する。
【００２０】
ここで、制御チャネルは、各スロットに含まれるデータのトランスポートブロック（ＴＢ：Transport  Block）の数に関する情報を含めることにより、ＴＢ単位にＡＣＫ又はＮＡＣＫを生成するように指定しても良い。また、制御チャネルは、ＴＢを構成するコードブロックグループ（ＣＢＧ：Code  Block  Group）の数に関する情報を含めることにより、ＣＢＧ単位にＡＣＫ又はＮＡＣＫを生成するように指定しても良い。複数のＴＢ又はＣＢＧのそれぞれに対応するＡＣＫ又はＮＡＣＫがフィードバックされる場合、ＡＣＫ又はＮＡＣＫのフィードバック単位に再送処理が行われる。以下では、スロット当たり１ＴＢが送信され、ＴＢ単位にＡＣＫ又はＮＡＣＫがフィードバックされるものとして説明する。スロット当たりに複数のＴＢ又はＣＢＧが送信され、複数のＡＣＫ又はＮＡＣＫがフィードバックされる場合は、以下において、例えば「ＮＡＣＫに対応するスロット」などにおける「スロット」を「ＴＢ」又は「ＣＢＧ」に置き換えれば良い。
【００２１】
このとき、制御チャネル生成部１２１は、バーストの先頭から所定数のスロットについては、各スロットからフィードバックタイミングまでのスロット数を示すＦＢタイミング情報を制御チャネルに含める。すなわち、制御チャネル生成部１２１は、バーストの先頭から所定数のスロットについては、バーストの送信終了後の同一のスロットをフィードバックタイミングとして指定するＦＢタイミング情報をスロットごとに生成する。また、制御チャネル生成部１２１は、バーストの先頭から所定数のスロットを除く後方のスロットについては、次のバーストに対するフィードバックと同時にＡＣＫ又はＮＡＣＫを送信するように指示するＦＢタイミング情報を制御チャネルに含める。すなわち、制御チャネル生成部１２１は、バーストの後方のスロットについては、ＡＣＫ又はＮＡＣＫをフィードバックするスロットを特定することなく、次のバーストとまとめてＡＣＫ又はＮＡＣＫをフィードバックするように指示するＦＢタイミング情報を生成する。
【００２２】
データチャネル生成部１２２は、Ｕバンドを用いたバースト送信をする際に、バーストに含まれる複数のスロットそれぞれのデータチャネルを生成する。具体的には、データチャネル生成部１２２は、送信データを含むデータチャネルをスロットごとに生成する。
【００２３】
マッピング部１２３は、制御チャネル生成部１２１によって生成された制御チャネルとデータチャネル生成部１２２によって生成されたデータチャネルとを複数のスロットにマッピングしてバーストを生成する。そして、マッピング部１２３は、生成したバーストを一時的に保持し、ＬＢＴ処理部１４０から指示されたタイミングで無線通信部１３０から送信する。
【００２４】
制御部１２４は、無線通信部１３０によってスロットごとのＡＣＫ又はＮＡＣＫを含むコードブックが受信されると、ＮＡＣＫに対応するスロットの送信データを生成するようにデータチャネル生成部１２２へ指示し、マッピング部１２３経由で再送させる。すなわち、コードブックには、バーストの送信先である端末装置において正しく復号できたスロットに関するＡＣＫと正しく復号できなかったスロットに関するＮＡＣＫとが含まれるため、制御部１２４は、ＮＡＣＫに対応するスロットの送信データの再送制御を行う。
【００２５】
無線通信部１３０は、マッピング部１２３から出力される送信データ又は再送データに対してＤ／Ａ（Digital/Analog）変換及びアップコンバートなどの所定の無線送信処理を施し、アンテナを介して送信する。また、無線通信部１３０は、スロットごとのＡＣＫ又はＮＡＣＫを含むコードブックを受信し、ダウンコンバート及びＡ／Ｄ（Analog/Digital）変換などの所定の無線受信処理を施す。
【００２６】
ＬＢＴ処理部１４０は、無線通信部１３０を介してＵバンドのＬＢＴ処理を実行する。すなわち、ＬＢＴ処理部１４０は、Ｕバンドの受信電力を測定することにより、他の装置がＵバンドを使用して信号を送信しているか否かを判定する。そして、ＬＢＴ処理部１４０は、Ｕバンドの受信電力が所定の閾値以上である場合には、他の装置が信号送信中であり、Ｕバンドがビジーであると判定し、Ｕバンドの受信電力が所定の閾値未満である場合には、他の装置が信号送信中ではなく、Ｕバンドがアイドルであると判定する。ＬＢＴ処理部１４０は、Ｕバンドがアイドルである場合に、送信データ又は再送データを送信するようにマッピング部１２３へ指示する。
【００２７】
メモリ１５０は、例えばＲＡＭ（Random  Access  Memory）又はＲＯＭ（Read  Only  Memory）などを備え、プロセッサ１２０が処理を実行するために使用する情報を記憶する。
【００２８】
図２は、一実施の形態に係る端末装置２００の構成を示すブロック図である。この端末装置２００は、Ｕバンドの信号を受信し、ＡＣＫ又はＮＡＣＫを送信する。図２に示す端末装置２００は、無線通信部２１０、プロセッサ２２０、ＬＢＴ処理部２３０及びメモリ２４０を有する。図２においては、Ｕバンドを用いた通信に関係する処理部のみを図示しているが、端末装置２００は、ＵバンドのみではなくＬバンドを用いた通信を実行しても良い。
【００２９】
無線通信部２１０は、基地局装置１００から送信されたＵバンドの信号を受信し、受信信号に対してダウンコンバート及びＡ／Ｄ変換などの所定の無線受信処理を施す。また、無線通信部２１０は、受信信号に関するＡＣＫ又はＮＡＣＫを含むコードブックに対してＤ／Ａ変換及びアップコンバートなどの所定の無線送信処理を施し、アンテナを介して送信する。
【００３０】
プロセッサ２２０は、例えばＣＰＵ、ＦＰＧＡ又はＤＳＰなどを備え、端末装置２００の全体を統括制御する。具体的には、プロセッサ２２０は、制御チャネル受信処理部２２１、データチャネル受信処理部２２２、コードブック生成部２２３、データチャネル生成部２２４及びマッピング部２２５を有する。
【００３１】
制御チャネル受信処理部２２１は、Ｕバンドの受信信号の各スロットにおける制御チャネルを復調及び復号する。そして、制御チャネル受信処理部２２１は、制御チャネルに含まれる割当情報をデータチャネル受信処理部２２２へ出力し、ＦＢタイミング情報をコードブック生成部２２３へ出力する。
【００３２】
データチャネル受信処理部２２２は、Ｕバンドの受信信号の各スロットにおけるデータチャネルを、割当情報に従って復調及び復号する。すなわち、制御チャネル受信処理部２２１から出力される割当情報には、例えばデータチャネルの変調方式及び符号化率などの情報が含まれるため、データチャネル受信処理部２２２は、割当情報を参照してデータチャネルの受信処理を実行する。そして、データチャネル受信処理部２２２は、スロットごとのデータチャネルが正しく復号できたか否かをコードブック生成部２２３へ通知する。すなわち、データチャネル受信処理部２２２は、例えばスロットごとの復号判定結果をコードブック生成部２２３へ通知する。
【００３３】
コードブック生成部２２３は、データチャネルの復号結果を示すＡＣＫ又はＮＡＣＫをスロットごとに生成し、複数のスロットのＡＣＫ又はＮＡＣＫを含むコードブックを生成する。このとき、コードブック生成部２２３は、ＦＢタイミング情報に従って、同一のスロットでＡＣＫ又はＮＡＣＫをフィードバックするように指示された複数のスロットに対応するコードブックを生成する。したがって、コードブック生成部２２３は、１つのバーストの先頭から所定数のスロットについてのＡＣＫ又はＮＡＣＫを含むコードブックを生成する。そして、コードブック生成部２２３は、バーストの後方のスロットについてのＡＣＫ又はＮＡＣＫを一時的に保持し、次のバーストが受信された際に、保持されたＡＣＫ又はＮＡＣＫと次のバーストに対するＡＣＫ又はＮＡＣＫとを含むコードブックを生成する。換言すれば、コードブック生成部２２３は、ＦＢタイミング情報において、次のバーストとまとめてＡＣＫ又はＮＡＣＫをフィードバックするように指示されているスロットについては、次のバースト受信時に別のコードブックを生成する。
【００３４】
このように、コードブック生成部２２３がバーストの後方のスロットについては、次のバーストとまとめてコードブックを生成するのは以下の理由による。すなわち、データチャネル受信処理部２２２によるスロットごとのデータチャネルの受信処理及びコードブック生成部２２３によるコードブックの生成には、ある程度の処理時間を要する。このため、バースト全体の受信が完了した直後にバーストの後方のスロットに関するＡＣＫ又はＮＡＣＫを含むコードブックを基地局装置１００へフィードバックするのは困難である。これに対して、バーストの先頭から所定数のスロットについては、バーストの後方のスロットの受信中にＡＣＫ又はＮＡＣＫを生成することが可能であり、バースト全体の受信が完了した直後にこれらのＡＣＫ又はＮＡＣＫを含むコードブックを基地局装置１００へフィードバックすることが可能である。
【００３５】
そこで、ＦＢタイミング情報は、バーストの先頭から所定数のスロットについては、バースト全体の受信が完了した直後のスロットをＡＣＫ又はＮＡＣＫのフィードバックのためのスロットとして特定する。これにより、コードブック生成部２２３は、バーストの先頭から所定数のスロットに関するＡＣＫ又はＮＡＣＫを含むコードブックを生成する。一方、ＦＢタイミング情報は、バーストの後方のスロットについては、次のバーストとまとめてＡＣＫ又はＮＡＣＫをフィードバックするように指定する。これにより、コードブック生成部２２３は、バーストの後方のスロットに関するＡＣＫ又はＮＡＣＫを次のバースト受信時まで保持しておき、次のバーストに関するＡＣＫ又はＮＡＣＫとまとめてコードブックを生成する。
【００３６】
データチャネル生成部２２４は、Ｕバンドを用いて基地局装置１００へデータを送信する際に、送信データを含むデータチャネルを生成する。
【００３７】
マッピング部２２５は、コードブック生成部２２３によって生成されたコードブックとデータチャネル生成部２２４によって生成されたデータチャネルとをマッピングしてアップリンクの送信信号を生成する。そして、マッピング部２２５は、生成した送信信号を一時的に保持し、ＬＢＴ処理部２３０から指示されたタイミングで無線通信部２１０から送信する。
【００３８】
ＬＢＴ処理部２３０は、無線通信部２１０を介してＵバンドのＬＢＴ処理を実行する。すなわち、ＬＢＴ処理部２３０は、Ｕバンドの受信電力を測定することにより、他の装置がＵバンドを用いて信号を送信しているか否かを判定する。そして、ＬＢＴ処理部２３０は、Ｕバンドの受信電力が所定の閾値以上である場合には、他の装置が信号送信中であり、Ｕバンドがビジーであると判定し、Ｕバンドの受信電力が所定の閾値未満である場合には、他の装置が信号送信中ではなく、Ｕバンドがアイドルであると判定する。ＬＢＴ処理部２３０は、Ｕバンドがアイドルである場合に、送信信号を送信するようにマッピング部２２５へ指示する。
【００３９】
メモリ２４０は、例えばＲＡＭ又はＲＯＭなどを備え、プロセッサ２２０が処理を実行するために使用する情報を記憶する。
【００４０】
次いで、一実施の形態に係る基地局装置１００の動作について、図３に示すフロー図を参照しながら説明する。以下においては、基地局装置１００から端末装置２００へ複数のスロットを含むバーストが送信される場合の動作について説明する。
【００４１】
基地局装置１００から端末装置２００へ送信されるデータは、例えばネットワークＩ／Ｆ部１１０によってコアネットワークから取得される。そして、データチャネル生成部１２２によって、コアネットワークから取得された送信データから、データチャネルがスロットごとに生成される（ステップＳ１０１）。
【００４２】
また、制御チャネル生成部１２１によって、データチャネルの割当情報及びＦＢタイミング情報を含む制御チャネルがスロットごとに生成される。具体的には、それぞれのスロットがバーストの先頭から所定スロットまでのスロットであるか所定スロット以後のスロットであるかが判断される（ステップＳ１０２）。そして、対象のスロットがバーストの先頭から所定スロットまでのスロットであれば（ステップＳ１０２Ｎｏ）、当該スロットに対するフィードバックタイミングまでのスロット数を特定するＦＢタイミング情報が生成され、このＦＢタイミング情報を含む制御チャネルが生成される（ステップＳ１０３）。このとき、例えばバースト全体の送信が完了する直後のスロットまでのスロット数を特定するＦＢタイミング情報がスロットごとに生成され、制御チャネルに含められる。
【００４３】
一方、対象のスロットがバーストの所定スロット以後のスロットであれば（ステップＳ１０２Ｙｅｓ）、当該スロットに対するフィードバックタイミングが次のバーストに対するフィードバックと同時であることを指定するＦＢタイミング情報が生成され、このＦＢタイミング情報を含む制御チャネルが生成される（ステップＳ１０４）。
【００４４】
このように、１つのバーストに含まれる複数のスロットのうち、先頭から所定数のスロットについては、ＡＣＫ又はＮＡＣＫのフィードバックタイミングとして同一のスロットを特定するＦＢタイミング情報が生成される。また、バーストの後方のスロットについては、ＡＣＫ又はＮＡＣＫのフィードバックタイミングとして次のバーストとまとめてフィードバックすることを指定するＦＢタイミング情報が生成される。
【００４５】
制御チャネル生成部１２１によって生成された制御チャネルとデータチャネル生成部１２２によって生成されたデータチャネルとはマッピング部１２３へ出力され、それぞれ複数のスロットにマッピングされてバーストが生成される（ステップＳ１０５）。このバーストに含まれるスロットごとの送信データの符号化ビットは、再送に備えてデータチャネル生成部１２２によって保持される。
【００４６】
バーストが生成される間、ＬＢＴ処理部１４０によって、定期的にＬＢＴ処理が実行され、Ｕバンドがアイドルであるか否かが判定される（ステップＳ１０６）。具体的には、無線通信部１３０におけるＵバンドの受信電力が所定の閾値以上であるか否かが判定され、受信電力が所定の閾値以上であれば、ＬＢＴ処理部１４０によってＵバンドがビジーであると判定される。Ｕバンドがビジーである場合には（ステップＳ１０６Ｎｏ）、Ｕバンドがアイドルになるまで待機され、Ｕバンドがアイドルになると（ステップＳ１０６Ｙｅｓ）、マッピング部１２３から無線通信部１３０へバーストが出力される。そして、無線通信部１３０によって、バーストに所定の無線送信処理が施され、バーストに含まれるスロットが順次アンテナから送信される（ステップＳ１０７）。
【００４７】
次に、一実施の形態に係る端末装置２００の動作について、図４に示すフロー図を参照しながら説明する。以下においては、基地局装置１００から送信されたバーストを端末装置２００が受信する場合の動作について説明する。
【００４８】
基地局装置１００から送信されたバーストの各スロットは、無線通信部２１０によって順次受信され、所定の無線受信処理が施された後、制御チャネル受信処理部２２１及びデータチャネル受信処理部２２２へ出力される。そして、制御チャネル受信処理部２２１によって、各スロットの制御チャネルの復調及び復号が実行される（ステップＳ２０１）。これにより、スロットごとの割当情報及びＦＢタイミング情報が取得され、割当情報はデータチャネル受信処理部２２２へ出力され、ＦＢタイミング情報はコードブック生成部２２３へ出力される。
【００４９】
そして、データチャネル受信処理部２２２によって、各スロットのデータチャネルの復調及び復号が実行される（ステップＳ２０２）。すなわち、スロットごとの割当情報が参照されることにより、各スロットのデータチャネルが復調及び復号され、スロットのデータチャネルが正しく復号できたか否かがコードブック生成部２２３へ通知される。
【００５０】
ところで、コードブック生成部２２３には、前回受信されたバーストの後方のスロットに関する復号結果が保持されている。すなわち、前回受信されたバーストに含まれるスロットのうち、次のバーストとまとめてフィードバックするように指定されたスロットに関するＡＣＫ又はＮＡＣＫが保持されている。そこで、コードブック生成部２２３によって、前回受信されたバーストに関する復号結果が参照され（ステップＳ２０３）、保持された前回のバーストに関するＡＣＫ又はＮＡＣＫが取得される。
【００５１】
そして、取得されたＡＣＫ又はＮＡＣＫと、ＦＢタイミング情報によってフィードバックのためのスロットが特定されたスロットに関するＡＣＫ又はＮＡＣＫとを含むコードブックが生成される（ステップＳ２０４）。換言すれば、コードブック生成部２２３によって、前回受信されたバーストの後方のスロットに関するＡＣＫ又はＮＡＣＫと、今回受信されたバーストの先頭から所定数のスロットに関するＡＣＫ又はＮＡＣＫとを含むコードブックが生成される。このとき、ＦＢタイミング情報によって次のバーストとまとめてフィードバックすることが指定されたスロットに関するＡＣＫ又はＮＡＣＫは、コードブック生成部２２３によって保持される。すなわち、今回受信されたバーストの後方のスロットに関するＡＣＫ又はＮＡＣＫが次のバースト受信時まで保持される。
【００５２】
このように、ＦＢタイミング情報に従って、複数のバーストに跨るＡＣＫ又はＮＡＣＫから１つのコードブックが生成されるため、ＡＣＫ又はＮＡＣＫをフィードバックする回数を最小限に削減することができ、ＡＣＫ又はＮＡＣＫのフィードバックによってＵバンドが占有される頻度を低下させることができる。結果として、ＡＣＫ又はＮＡＣＫのフィードバックによりダウンリンクのバーストの連続送信が制限されることがなく、送信効率の低下を抑制することができる。
【００５３】
基地局装置１００へ送信すべき送信データがある場合には、データチャネル生成部２２４によって、アップリンクのデータチャネルが生成される（ステップＳ２０５）。コードブック生成部２２３によって生成されたコードブックとデータチャネル生成部２２４によって生成されたデータチャネルとはマッピング部２２５へ出力され、それぞれスロットにマッピングされてアップリンクの送信信号が生成される（ステップＳ２０６）。
【００５４】
アップリンクの送信信号が生成される間、ＬＢＴ処理部２３０によって、定期的にＬＢＴ処理が実行され、Ｕバンドがアイドルであるか否かが判定される（ステップＳ２０７）。具体的には、無線通信部２１０におけるＵバンドの受信電力が所定の閾値以上であるか否かが判定され、受信電力が所定の閾値以上であれば、ＬＢＴ処理部２３０によってＵバンドがビジーであると判定される。Ｕバンドがビジーである場合には（ステップＳ２０７Ｎｏ）、Ｕバンドがアイドルになるまで待機され、Ｕバンドがアイドルになると（ステップＳ２０７Ｙｅｓ）、マッピング部２２５から無線通信部２１０へアップリンクの送信信号が出力される。そして、無線通信部２１０によって、送信信号に所定の無線送信処理が施され、アップリンクの送信信号がアンテナから送信される（ステップＳ２０８）。
【００５５】
次に、Ｕバンドを用いた具体的な送信状況について、図５を参照しながら説明する。図５は、Ｕバンドにおいて基地局装置１００から端末装置２００へバースト３１０、３２０を送信する際の送信状況を示している。
【００５６】
バースト３１０、３２０は、それぞれスロット＃０〜＃６の７つのスロットを含む。バースト３１０、３２０のスロット＃０〜＃４については、バーストの直後のスロットがフィードバックタイミングとして特定される。すなわち、スロット＃０〜＃４の制御チャネルには、それぞれのスロットからバーストの直後のスロットまでのスロット数を特定するＦＢタイミング情報が含まれる。例えばスロット＃０の制御チャネルには、スロット＃０の７スロット後がフィードバックタイミングであることを特定するＦＢタイミング情報が含まれ、スロット＃１の制御チャネルには、スロット＃１の６スロット後がフィードバックタイミングであることを特定するＦＢタイミング情報が含まれる。図５においては、バースト３１０、３２０のスロット＃０〜＃４のＦＢタイミング情報が特定するスロット数７〜３がそれぞれ示されている。
【００５７】
これに対して、バースト３１０、３２０のスロット＃５〜＃６については、次のバーストとまとめてフィードバックすることが指定される。すなわち、スロット＃５〜＃６の制御チャネルには、次のバーストに関するＡＣＫ又はＮＡＣＫと同時にＡＣＫ又はＮＡＣＫをフィードバックするように指定するＦＢタイミング情報が含まれる。図５においては、バースト３１０、３２０のスロット＃５〜＃６のＦＢタイミング情報が「Ｎｘ」と示されている。
【００５８】
基地局装置１００は、ＬＢＴ処理の結果、Ｕバンドのアイドル期間３１１が所定の長さとなると、ダウンリンクのバースト３１０を端末装置２００へ送信する。上述したように、バースト３１０のスロット＃０〜＃４には、バースト３１０の直後のスロットをフィードバックタイミングとして特定するＦＢタイミング情報が含まれ、スロット＃５〜＃６には、次のバーストとまとめてフィードバックすることを指定するＦＢタイミング情報が含まれる。
【００５９】
バースト３１０を受信する端末装置２００は、ＦＢタイミング情報に基づいて、スロット＃０〜＃４のフィードバックタイミングが同一のスロットであることを特定する。そして、端末装置２００は、スロット＃０〜＃４に関するＡＣＫ又はＮＡＣＫを含むコードブックを生成し、バースト３１０を受信後のアイドル期間３１２が所定の長さとなると、スロット＃０〜＃４のＦＢタイミング情報によって特定されたアップリンクのスロットにおいてコードブック３１５を送信する。一方、端末装置２００は、ＦＢタイミング情報に基づいて、スロット＃５〜＃６のフィードバックタイミングが次のバースト受信時であると判断するため、スロット＃５〜＃６に関するＡＣＫ又はＮＡＣＫを次のバースト受信時まで保持する。
【００６０】
スロット＃０〜＃４に関するＡＣＫ又はＮＡＣＫを含むコードブックの生成は、スロット＃５〜＃６に対する受信処理中に実行することが可能である。このため、バースト３１０のスロット＃０〜＃４に関するフィードバックタイミングをバースト３１０の直後のスロットとすることができる。すなわち、バースト３１０の先頭から所定数のスロットに関するＡＣＫ又はＮＡＣＫのフィードバックを早期に実行することができる。また、フィードバックタイミングがバースト３１０の直後のスロットであるため、Ｕバンドがビジーとなってフィードバックが延期される可能性を低減することができる。
【００６１】
基地局装置１００は、次のバースト３２０を送信するまでの間、ＬＢＴ処理を実行し、Ｕバンドのビジー期間３２１ではバースト３２０を送信せずに待機する。そして、基地局装置１００は、Ｕバンドのアイドル期間３２２が所定の長さとなると、ダウンリンクのバースト３２０を端末装置２００へ送信する。上述したように、バースト３２０のスロット＃０〜＃４には、バースト３２０の直後のスロットをフィードバックタイミングとして特定するＦＢタイミング情報が含まれ、スロット＃５〜＃６には、次のバーストとまとめてフィードバックすることを指定するＦＢタイミング情報が含まれる。
【００６２】
バースト３２０を受信する端末装置２００は、ＦＢタイミング情報に基づいて、スロット＃０〜＃４のフィードバックタイミングが同一のスロットであることを特定する。そして、端末装置２００は、前回のバースト３１０受信時に保持されたＡＣＫ又はＮＡＣＫを取得し、これらのＡＣＫ又はＮＡＣＫとバースト３２０のスロット＃０〜＃４に関するＡＣＫ又はＮＡＣＫとを含むコードブックを生成する。すなわち、端末装置２００は、バースト３１０のスロット＃５〜＃６に関するＡＣＫ又はＮＡＣＫとバースト３２０のスロット＃０〜＃４に関するＡＣＫ又はＮＡＣＫとを含む１つのコードブックを生成する。
【００６３】
端末装置２００は、バースト３２０を受信後のアイドル期間３２３が所定の長さとなると、スロット＃０〜＃４のＦＢタイミング情報によって特定されたアップリンクのスロットにおいてコードブック３２５を送信する。このコードブック３２５には、バースト３２０のスロット＃０〜＃４に関するＡＣＫ又はＮＡＣＫのみではなく、前回受信されたバースト３１０のスロット＃５〜＃６に関するＡＣＫ又はＮＡＣＫが含まれる。つまり、２つのバースト３１０、３２０に跨ったＡＣＫ又はＮＡＣＫが１つのコードブック３２５によってフィードバックされ、フィードバックの回数を削減することができる。結果として、ＡＣＫ又はＮＡＣＫのフィードバックによりダウンリンクのバーストの連続送信が制限されることがなく、送信効率の低下を抑制することができる。
【００６４】
図６は、スロットごとの制御情報の具体例を示す図である。図６においては、図５のバースト３１０のスロット＃０〜＃６の制御チャネルに含まれる制御情報の例を示している。
【００６５】
図６に示すように、各スロットの制御チャネルには、ＦＢタイミング情報とカウンタＤＡＩ（Downlink  Assignment  Index）とが含まれる。ＦＢタイミング情報は、例えば４ビットからなる制御情報であり、これらの４ビットは、それぞれ例えば図７に示すフィードバックタイミングに対応する。すなわち、例えばスロット＃０のＦＢタイミング情報は「０１０１」であるが、これはスロット＃０の「７スロット後」がフィードバックタイミングであることを示している。同様に、例えばスロット＃４のＦＢタイミング情報は「０００１」であるが、これはスロット＃４の「３スロット後」がフィードバックタイミングであることを示している。
【００６６】
これらのＦＢタイミング情報から、図６の例ではスロット＃０〜＃４のフィードバックタイミングが同一のスロットであることがわかるため、端末装置２００は、スロット＃０〜＃４に関するＡＣＫ又はＮＡＣＫを含むコードブックを生成すれば良い。
【００６７】
一方、スロット＃５〜＃６のＦＢタイミング情報は「１１１１」であり、これはフィードバックタイミングが次のバーストの受信時であることを示す。このため、端末装置２００は、ＦＢタイミング情報が「１１１１」であるスロット＃５〜＃６については、次のバースト受信時に次のバーストに関するＡＣＫ又はＮＡＣＫとまとめてコードブックを生成すれば良い。
【００６８】
コードブックの生成時には、各スロットに関するＡＣＫ又はＮＡＣＫがカウンタＤＡＩに従った順序で並べられる。すなわち、例えばカウンタＤＡＩが「００」のスロット＃０のＡＣＫ又はＮＡＣＫがコードブックの先頭に配置され、以降カウンタＤＡＩの昇順で各スロットのＡＣＫ又はＮＡＣＫが並べて配置される。このとき、カウンタＤＡＩが例えば２ビットであるため、カウンタＤＡＩが「１１」のスロット＃３のＡＣＫ又はＮＡＣＫの次には巡回的にカウンタＤＡＩが「００」のスロット＃４のＡＣＫ又はＮＡＣＫが配置される。
【００６９】
図８は、スロットごとの制御情報の他の具体例を示す図である。図８においては、図５のバースト３１０のスロット＃０〜＃６の制御チャネルに含まれる制御情報の例を示している。
【００７０】
図８に示すように、各スロットの制御チャネルには、ウインドウＩＤとＦＢタイミング情報とカウンタＤＡＩ（Downlink  Assignment  Index）とが含まれる。ウインドウＩＤは、ＡＣＫ又はＮＡＣＫのフィードバックタイミングを同一のスロットにすることが可能なスロットを識別する識別情報である。すなわち、ウインドウＩＤが同じスロットに関するＡＣＫ又はＮＡＣＫは、１つのコードブックにまとめてフィードバックすることが可能である。さらに、ウインドウＩＤは、ＡＣＫ又はＮＡＣＫを次のバーストとまとめてフィードバックするか否かを示す。すなわち、図８に示す例では、ウインドウＩＤが「０」のスロットについては、ＦＢタイミング情報に従ってＡＣＫ又はＮＡＣＫがフィードバックされる一方、ウインドウＩＤが「１」のスロットについては、ＦＢタイミング情報とは無関係に次のバーストとまとめてＡＣＫ又はＮＡＣＫがフィードバックされる。したがって、図８の例では、スロット＃０〜＃４に関するＡＣＫ又はＮＡＣＫがバースト３１０の直後に１つのコードブックにまとめてフィードバックされ、スロット＃５〜＃６に関するＡＣＫ又はＮＡＣＫが次のバースト３２０に関するＡＣＫ又はＮＡＣＫと１つのコードブックにまとめてフィードバックされることがわかる。
【００７１】
また、図８に示すＦＢタイミング情報は、例えば４ビットからなる制御情報であり、これらの４ビットは、それぞれ例えば図９に示すフィードバックタイミングに対応する。すなわち、例えばスロット＃０のＦＢタイミング情報は「０１０１」であるが、これはスロット＃０の「７スロット後」がフィードバックタイミングであることを示している。同様に、例えばスロット＃４のＦＢタイミング情報は「０００１」であるが、これはスロット＃４の「３スロット後」がフィードバックタイミングであることを示している。
【００７２】
一方、スロット＃５〜＃６のＦＢタイミング情報は「１１１１」であり、これはスロット＃５〜＃６にＦＢタイミング情報が適用されないことを示す。すなわち、ウインドウＩＤが「１」のスロット＃５〜＃６のフィードバックタイミングは、次のバースト３２０のＦＢタイミング情報に従うため、スロット＃５〜＃６のＦＢタイミング情報を無視して良いことが示されている。
【００７３】
なお、図６、８においては、ＦＢタイミング情報、カウンタＤＡＩ及びウインドウＩＤをそれぞれ独立した制御情報として示したが、これらの一部又は全部を統合しても良い。すなわち、例えば４ビットのＦＢタイミング情報と２ビットのカウンタＤＡＩとを統合して、６ビットの制御情報としても良い。また、これらの制御情報のビット数は、任意に変更可能である。
【００７４】
また、ウインドウＩＤによってウインドウを直接定義する代わりに、１ビットのウインドウＩＤを、ＦＢタイミング情報が有効か否かを示す制御情報として用いても良い。例えば、ウインドウＩＤが「０」のスロットのＦＢタイミング情報は有効、ウインドウＩＤが「１」のスロットのＦＢタイミング情報は無効というようにしても良い。あるバーストの「１：無効」を含む制御チャネルに対応するデータチャネルは、次のバーストにおける「０：有効」を含む制御チャネルに対応するデータチャネルと同じウインドウに属すると規定すれば良い。この場合、上述した「１１１１」もフィードバックタイミングを示すのに用いることができる。
【００７５】
以上のように、本実施の形態によれば、基地局装置は、バーストを構成する複数のスロットのうち先頭から所定数のスロットには、フィードバックタイミングまでのスロット数を特定する制御情報を含め、バーストの後方のスロットには、次のバースト受信時にまとめてフィードバックすることを指定する制御情報を含めて送信する。そして、端末装置は、受信したバーストの先頭から所定数のスロットに関するＡＣＫ又はＮＡＣＫを含むコードブックを生成し、制御情報によって特定されるフィードバックタイミングでフィードバックする。また、端末装置は、バーストの後方のスロットに関するＡＣＫ又はＮＡＣＫを次のバースト受信時まで保持し、次のバーストに関するＡＣＫ又はＮＡＣＫとまとめたコードブックを生成し、次のバーストの制御情報によって特定されるフィードバックタイミングでフィードバックする。このため、ＡＣＫ又はＮＡＣＫをフィードバックする回数を最小限に削減することができ、ＡＣＫ又はＮＡＣＫのフィードバックによってＵバンドが占有される頻度を低下させることができる。結果として、ＡＣＫ又はＮＡＣＫのフィードバックによりダウンリンクのバーストの連続送信が制限されることがなく、送信効率の低下を抑制することができる。
【００７６】
なお、上記一実施の形態においては、バーストの直後のスロットにおいてＡＣＫ又はＮＡＣＫを含むコードブックが送信されるものとしたが、バーストの直後のタイミングにおいてＵバンドがビジーである場合には、コードブックが送信されない。このような場合には、コードブックが受信されないことを検知した基地局装置１００が、次のバーストにおいてコードブックの送信を要求し、このバーストの直後に、未送信のコードブックが送信されるようにしても良い。
【００７７】
具体的に、例えば図１０に示すように、バースト３３０、３４０、３５０が基地局装置１００から端末装置２００へ送信される場合を例に挙げて説明する。図１０において、バースト３３０、３４０、３５０は、それぞれ７つのスロットを有し、各スロットにはＦＢタイミング情報が含まれる。各スロットのＦＢタイミング情報は、フィードバックタイミングまでのスロット数を特定する「７」〜「３」、又は次のバーストとまとめてフィードバックすることを指定する「Ｎ」を示す。
【００７８】
これらのＦＢタイミング情報により、バースト３３０の先頭から５スロットは、ＡＣＫ又はＮＡＣＫを同時にフィードバック可能なウインドウ＃０を構成し、バースト３３０の後方の２スロットとバースト３４０の先頭から５スロットとは、ＡＣＫ又はＮＡＣＫを同時にフィードバック可能なウインドウ＃１を構成する。同様に、バースト３４０の後方の２スロットとバースト３５０の先頭から５スロットとは、ＡＣＫ又はＮＡＣＫを同時にフィードバック可能なウインドウ＃２を構成する。
【００７９】
基地局装置１００は、ＬＢＴ処理の結果Ｕバンドのアイドル期間が所定の長さになると、バースト３３０を送信する。バースト３３０を受信する端末装置２００は、ウインドウ＃０に含まれるスロットに関するコードブックを生成し、ウインドウ＃０に含まれるスロットのＦＢタイミング情報に従って、スロット３３１においてウインドウ＃０に対応するコードブックを送信する。
【００８０】
そして、基地局装置１００は、再度ＬＢＴ処理の結果Ｕバンドのアイドル期間が所定の長さになると、バースト３４０を送信する。バースト３４０を受信する端末装置２００は、ウインドウ＃１に含まれるスロットに関するコードブックを生成し、ウインドウ＃１に含まれるバースト３４０のスロットのＦＢタイミング情報に従って、ウインドウ＃１に対応するコードブックの送信を試みる。しかしながら、バースト３４０の直後においてＵバンドがビジーである場合には、端末装置２００は、ウインドウ＃１に対応するコードブックを送信せずに保持する。
【００８１】
そして、基地局装置１００は、定期的なＬＢＴ処理の結果Ｕバンドのアイドル期間が所定の長さになると、バースト３５０を送信する。このとき、基地局装置１００は、ウインドウ＃１に対応するコードブックが受信されていないことを検知し、ウインドウ＃１に対応するコードブックを送信するように指示する制御情報をバースト３５０のスロットに含める。バースト３５０を受信する端末装置２００は、ウインドウ＃２に含まれるスロットに関するコードブックを生成し、ウインドウ＃２に含まれるバースト３５０のスロットのＦＢタイミング情報に従って、スロット３５１においてウインドウ＃２に対応するコードブックを送信する。
【００８２】
また、バースト３５０には、ウインドウ＃１に対応するコードブックを送信するように指示する制御情報が含まれているため、端末装置２００は、スロット３５１の直後のスロット３５２においてウインドウ＃１に対応するコードブックを送信する。これにより、Ｕバンドがビジーであるため送信されなかったウインドウ＃１に対応するコードブックが基地局装置１００へフィードバックされる。
【００８３】
図１０においては、ウインドウ＃１に対応するコードブックがウインドウ＃２に対応するコードブックとは別々にフィードバックされたが、未送信のコードブックが統合されてフィードバックされても良い。すなわち、例えば図１１に示すように、バースト３４０の直後にウインドウ＃１に対応するコードブックが送信されなかった場合は、ウインドウ＃１及びウインドウ＃２に対応する１つのコードブックが生成され、バースト３５０の直後のスロット３５５においてフィードバックされても良い。この場合、ウインドウ＃１も含めて対応するコードブックを送信するように指示する制御情報がバースト３５０のスロットに含まれる場合と含まれない場合とのいずれもが可能である。制御情報が含まれる場合には、データチャネルに関する割当情報を含む制御チャネルに含めることも可能であるし、データチャネルに関する割当情報を含まない制御チャネルに含めることも可能である。
【００８４】
データチャネルに関する割当情報を含む制御チャネルに制御情報を含める場合、例えば現スロットのデータチャネルが属するウインドウ＃２に対応するＡＣＫ又はＮＡＣＫに加えて、直前のウインドウ＃１に対応するＡＣＫ又はＮＡＣＫも併せて１つのコードブックに統合してフィードバックするか否かを１ビットで指示する制御情報を含めれば良い。こうすることにより、新たな制御チャネルを設ける必要がない。
【００８５】
一方、データチャネルに関する割当情報を含まない制御チャネルに制御情報を含める場合、独立した制御チャネルが用いられるため、送信に用いられるリソースが多くなるが、端末装置２００宛てのデータチャネルが存在しないスロットにおいても送信可能なため、チャネル配置の柔軟性を高めることができる。
【００８６】
また、ウインドウ＃１も含めて対応するコードブックを送信するように指示する制御情報がバースト３５０のスロットに含まれない場合は、直前のウインドウ＃１に対応するコードブックが未送信であれば複数の未送信のウインドウに対応する１つのコードブックを生成してフィードバックすることをＲＲＣ（Radio  Resource  Control）などの上位信号によりあらかじめ指示しても良い。
【００８７】
なお、上記一実施の形態においては、基地局装置１００と１つの端末装置２００とがＵバンドを用いて通信する場合について説明したが、基地局装置１００は複数の端末装置とＵバンドを用いて通信しても良い。すなわち、端末装置２００以外の端末装置宛てのデータチャネルが時間方向又は周波数方向に多重されても良い。また、ＡＣＫ又はＮＡＣＫを含むコードブックの送信タイミングは、バーストの直後のスロット以外のスロットでも良く、端末装置ごとに異なるスロットが指定されても良い。さらに、基地局装置１００と端末装置２００の間でＵバンド内のキャリアアグリゲーションが採用されても良い。キャリアアグリゲーションが採用される場合には、複数のキャリアにおいて送受信されるすべてのバーストに関するＡＣＫ又はＮＡＣＫがいずれか１つのキャリアにおいてまとめてフィードバックされても良い。
【００８８】
また、上記一実施の形態においては、バーストが複数のスロットから構成されるものとしたが、必ずしもバーストの構成単位がスロットでなくても良い。すなわち、バーストは、複数の時間単位が連続して構成される時間長が比較的大きい信号である。
【符号の説明】
【００８９】
１１０  ネットワークＩ／Ｆ部
１２０、２２０  プロセッサ
１２１  制御チャネル生成部
１２２、２２４  データチャネル生成部
１２３、２２５  マッピング部
１２４  制御部
１３０、２１０  無線通信部
１４０、２３０  ＬＢＴ処理部
１５０、２４０  メモリ
２２１  制御チャネル受信処理部
２２２  データチャネル受信処理部
２２３  コードブック生成部
２２４  データチャネル生成部
【図１】
2020065845.tif 000003
【図２】
2020065845.tif 000004
【図３】
2020065845.tif 000005
【図４】
2020065845.tif 000006
【図５】
2020065845.tif 000007
【図６】
2020065845.tif 000008
【図７】
2020065845.tif 000009
【図８】
2020065845.tif 000010
【図９】
2020065845.tif 000011
【図１０】
2020065845.tif 000012
【図１１】
2020065845.tif 000013
【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
第１のデータチャネルを生成する第１の生成部と、
前記第１のデータチャネルの割当情報とデータチャネルのグループを識別する識別情報とを含む制御チャネルであって、前記第１のデータチャネルに関する受信応答を前記第１のデータチャネルより後に送信される同じグループの第２のデータチャネルに関する受信応答とまとめてフィードバックするように指示する制御情報を含む制御チャネルを生成する第２の生成部と、
無線通信に使用するために免許が不要な周波数帯域が他装置によって使用中であるか否かを判定する判定部と、
前記判定部によって前記周波数帯域が使用中ではないと判定された場合に、前記第１のデータチャネル及び前記制御チャネルを前記周波数帯域を使用して送信する送信部と
を有することを特徴とする基地局装置。
【請求項２】
前記第２の生成部は、
第１のバーストに含まれる１以上の時間単位のうち先頭の時間単位から所定の時間単位までにおいて送信される制御チャネルであって、それぞれの時間単位に関する受信応答をフィードバックするタイミングを特定する制御情報を含む制御チャネルを生成する
ことを特徴とする請求項１記載の基地局装置。
【請求項３】
前記第２の生成部は、
前記第１のデータチャネルと同じグループの第２のデータチャネルに関する受信応答に加えて、前記第１のデータチャネルと異なるグループの第３のデータチャネルに関する受信応答を同時にフィードバックするか否かを指示する制御情報を含む制御チャネルを生成する
ことを特徴とする請求項１記載の基地局装置。
【請求項４】
無線通信に使用するために免許が不要な周波数帯域を使用して送信された第１のデータチャネルと前記第１のデータチャネルよりも後に送信された第２のデータチャネルとを受信する受信部と、
前記第１のデータチャネルを復号する第１の復号部と、
前記第１のデータチャネルに関する受信応答を前記第２のデータチャネルに関する受信応答とまとめてフィードバックするように指示する制御情報を含む制御チャネルを復号する第２の復号部と、
前記第２の復号部によって復号される制御情報に従って、前記第１のデータチャネルに関する受信応答と前記第２のデータチャネルに関する受信応答とを含むフィードバック情報を生成する生成部と、
前記生成部によって生成されたフィードバック情報を送信する送信部と
を有することを特徴とする端末装置。
【請求項５】
前記周波数帯域が他装置によって使用中であるか否かを判定する判定部をさらに有し、
前記送信部は、
前記判定部によって前記周波数帯域が使用中ではないと判定された場合に、前記フィードバック情報を前記周波数帯域を使用して送信する
ことを特徴とする請求項４記載の端末装置。
【請求項６】
基地局装置と端末装置とを有する無線通信システムであって、
前記基地局装置は、
第１のデータチャネルを生成する第１の生成部と、
前記第１のデータチャネルの割当情報とデータチャネルのグループを識別する識別情報とを含む制御チャネルであって、前記第１のデータチャネルに関する受信応答を前記第１のデータチャネルより後に送信される同じグループの第２のデータチャネルに関する受信応答とまとめてフィードバックするように指示する制御情報を含む制御チャネルを生成する第２の生成部と、
無線通信に使用するために免許が不要な周波数帯域が他装置によって使用中であるか否かを判定する判定部と、
前記判定部によって前記周波数帯域が使用中ではないと判定された場合に、前記第１のデータチャネル及び前記制御チャネルを前記周波数帯域を使用して送信する送信部とを有し、
前記端末装置は、
前記第１のデータチャネル及び前記第２のデータチャネルを受信する受信部と、
前記第１のデータチャネルを復号する第１の復号部と、
前記第１のデータチャネルに対応する制御チャネルを復号する第２の復号部と、
前記第２の復号部によって復号される制御情報に従って、前記第１のデータチャネルに関する受信応答と前記第２のデータチャネルに関する受信応答とを含むフィードバック情報を生成する生成部と、
前記生成部によって生成されたフィードバック情報を送信するフィードバック情報送信部とを有する
ことを特徴とする無線通信システム。
【手続補正２】
【補正対象書類名】明細書
【補正対象項目名】０００３
【補正方法】変更
【補正の内容】
【０００３】
一方で、ＩｏＴ（Internet  of  things）サービス（例えば、交通システム、スマートメータ、装置等の監視システム）の展開に合わせて、多様な要求条件を持つサービスに対応することが求められている。そのため、第５世代移動体通信（５Ｇ又はＮＲ（Ｎｅｗ  Ｒａｄｉｏ））の通信規格では、４Ｇ（第４世代移動体通信）の標準技術（例えば、非特許文献１〜１１）に加えて、さらなる高データレート化、大容量化、低遅延化を実現する技術が求められている。なお、第５世代通信規格については、３ＧＰＰの作業部会（例えば、ＴＳＧ−ＲＡＮ  ＷＧ１、ＴＳＧ−ＲＡＮ  ＷＧ２等）で技術検討が進められている（非特許文献１２〜３８）。
【手続補正３】
【補正対象書類名】明細書
【補正対象項目名】００１２
【補正方法】変更
【補正の内容】
【００１２】
本願が開示する基地局装置は、１つの態様において、第１のデータチャネルを生成する第１の生成部と、前記第１のデータチャネルの割当情報とデータチャネルのグループを識別する識別情報とを含む制御チャネルであって、前記第１のデータチャネルに関する受信応答を前記第１のデータチャネルより後に送信される同じグループの第２のデータチャネルに関する受信応答とまとめてフィードバックするように指示する制御情報を含む制御チャネルを生成する第２の生成部と、無線通信に使用するために免許が不要な周波数帯域が他装置によって使用中であるか否かを判定する判定部と、前記判定部によって前記周波数帯域が使用中ではないと判定された場合に、前記第１のデータチャネル及び前記制御チャネルを前記周波数帯域を使用して送信する送信部とを有する。
【国際調査報告】
2020065845.tif 000014
2020065845.tif 000015
2020065845.tif 000016
2020065845.tif 000017